(57)【要約】本発明は、家具の本体（２）の側壁（２ａ）へビルトイン冷蔵庫（３）を固定するための固定アセンブリに関し、前記システムは、冷蔵庫側に固定可能であり、締め付けねじ（９）用の貫通孔（８）を有するねじ式のフランジ（７）を有するヒンジアーム（６）を有するヒンジ（５）と、ねじ式フランジ（７）の貫通孔（８）を通るとともに家具の本体（２）の側壁（２ａ）にねじ込まれることが可能である２つの締め付けねじ（９）と、必要に応じてねじ式フランジ（７）と側壁（２ａ）との間に挿入可能である少なくとも１つの壁厚補正プレート（１１）とを備える。前記固定システムは、ねじ式フランジ（７）上に配置可能であるプラスチック製カバーキャップ（１０）に締め付けねじ（９）が予め取り付けられているように設計されている。【選択図】図３
2014511990.tif 000002
【特許請求の範囲】
【請求項１】
冷蔵庫側に固定可能であり、締め付けねじ（９）用の貫通孔（８）を有するねじ式フランジ（７）を有するヒンジアーム（６）を有するヒンジ（５）と、
ねじ式フランジ（７）の貫通孔（８）を通るとともに家具本体（２）の側壁（２ａ）にねじ込まれることが可能である２つの締め付けねじ（９）と、
必要に応じてねじ式フランジ（７）と側壁（２ａ）との間に挿入可能である少なくとも１つの壁厚補正プレート（１１）とを備える、
家具本体（２）の側壁（２ａ）へのビルトイン冷蔵庫（３）用の固定アセンブリにおいて、
前記ねじ式フランジ（７）に差し込み可能であるプラスチック製のカバーキャップ（１０）に前記締め付けねじ（９）が予め設置されていることを特徴とする
固定アセンブリ。
【請求項２】
前記少なくとも１つの壁厚補正プレート（１１）が、フィルムヒンジ（１２）等を介して一体的に前記カバーキャップ（１０）に成形されていることを特徴とする
請求項１に記載の固定アセンブリ。
【請求項３】
前記ねじ式フランジ（７）の孔（１４）に留められることが可能であるキャッチピン（１３）が前記壁厚補正プレート（１１）に設けられていることを特徴とする
請求項１または２に記載の固定アセンブリ。
【請求項４】
前記締め付けねじ（９）に皿頭（１０）が設けられており、これが直接前記ねじ式フランジ（７）の前記貫通孔（８）の縁部に押されることが可能であり、その一方で前記カバーキャップ（１０）の貫通領域を変形させることを特徴とする
請求項１から３のいずれか一項に記載の固定アセンブリ。
【請求項５】
前記壁厚補正プレート（１１）の厚さが好適には５ｍｍ未満であることを特徴とする
先の請求項のいずれか一項に記載の固定アセンブリ。
【請求項６】
前記締め付けねじ（９）が前記カバーキャップ（１０）の貫通領域に摩擦係合的に予め設置されていることを特徴とする
先の請求項のいずれか一項に記載の固定アセンブリ。
【請求項７】
前記フィルムヒンジ（１２）を介して前記カバーキャップ（１０）に成形されている前記壁厚補正プレート（１１）にフィルムヒンジを介してさらに壁厚補正プレート（１１）が一体的に成形されており、そのさらなる補正プレートが必要に応じて前記キャッチピン（１３）の反対側で前記第１の壁厚補正プレート（１１）に留められることが可能であることを特徴とする
先の請求項のいずれか一項に記載の固定アセンブリ。
【請求項８】
前記カバーキャップ（１０）が前記ねじ式フランジ（７）に予め設置されることが可能であることを特徴とする
先の請求項のいずれか一項に記載の固定アセンブリ。
【請求項９】
前記カバーキャップ（１０）が、前記ねじ式フランジ（７）への差し込みのための手段、特に留めラグ、アンダカット等を有することを特徴とする
先の請求項のいずれか一項に記載の固定アセンブリ。
【発明の詳細な説明】
【技術分野】
【０００１】
本発明は、家具本体の側壁へのビルトイン冷蔵庫用の固定アセンブリに関し、冷蔵庫側に固定され、締め付けねじ用の貫通孔を有するねじ式のフランジを有するヒンジアームを有するヒンジと、ねじ式フランジの貫通孔を通るとともに家具本体の側壁にねじ込まれることが可能である２つの締め付けねじと、必要に応じてねじ式フランジと側壁との間に挿入可能である少なくとも１つの壁厚補正プレートとを備える。
【背景技術】
【０００２】
この種の固定アセンブリ自体は公知であり、主にビルトイン冷蔵庫を家具本体の内部へ固定するため、ビルトイン冷蔵庫を家具本体の側壁に固定するために使用されている。  
対応するヒンジアームの固定によりさらに、ビルトイン冷蔵庫にドアを接続するヒンジの静的な固定も行われる。
【０００３】
当然、ヒンジアームを家具本体の側壁に固定することが可能である２つのヒンジが、ドアをビルトイン冷蔵庫に接続するために使用されている。  
しかし、これらのヒンジの基本的な構造および操作方法、また側壁への固定が可能であることは機能的に同じである。
【０００４】
公知の固定アセンブリの場合、締め付けねじおよび少なくとも１つの壁厚補正プレートは個別の部品として設置者に提供され、すなわち設置者は２つの締め付けねじを順番にねじ式フランジの貫通孔に挿入して家具本体の側壁にねじ込み、事前に壁厚補正プレートをねじ式フランジと側壁との間に配置し適所に保つかまたはその他の方法で少なくとも締め付けねじの挿入の際に固定しなくてはならない。
【発明の概要】
【発明が解決しようとする課題】
【０００５】
本発明は、ビルトイン冷蔵庫を家具本体の側壁に固定するため必要な作業工程を減らし、特に設置者にとって簡略化されるように、この種の固定アセンブリを改良する目的に基づいている。
【課題を解決するための手段】
【０００６】
この目的は本発明に係り、ねじ式フランジに差し込み可能であるプラスチック製のカバーキャップ内に締め付けねじが予め設置されていることにより達成される。
【０００７】
締め付けねじはカバーキャップ内に予め設置されているため、その取り付けは実質的に簡単にされている。  
設置者は、カバーキャップをねじ式フランジに差し込めばよいだけであり、まず予め設置されているねじをねじ式フランジの貫通孔に、続いて家具本体の側壁へねじ込むことが可能である。
【０００８】
本発明の好適な実施例では、少なくとも１つの壁厚補正プレートが、フィルムヒンジ等を介してカバーキャップに一体的に形成されている。
【０００９】
壁厚補正プレートが構造上の理由から必要とされる場合、これはすでにカバーキャップ上に一体的に形成されており、ねじ式フランジの後方へ向かって折り重ねるだけでよく、その際に壁厚補正プレートが固定領域から望ましくない状態でずれてしまう、または完全に外れてしまう危険性が生じることがない。
【００１０】
ねじ式フランジの孔に留めることが可能であるキャッチピンが壁厚補正プレートに設けられている本発明の実施形態が好ましい。
【００１１】
これにより、壁厚補正プレートを特に簡単に仮止めすることができる。
【００１２】
壁厚補正プレートが必要でない場合は、これを設置者がフィルムヒンジに沿って切断することによって除去および廃棄することが可能である。
【００１３】
本発明のその他の特徴は従属請求項の主題である。
【００１４】
本発明の実施例を添付の図面に示すとともに以下に詳細に説明する。
【図面の簡単な説明】
【００１５】
【図１】ビルトイン冷蔵庫を有する家具のドアが開いた状態の斜視図である。
【図２】図１の家具の上面図である。
【図３】図１の部分ＩＩＩの詳細を示す拡大図である。
【図４】ビルトイン冷蔵庫のヒンジのヒンジアームの図である。
【図５】予め設置された締め付けねじと、成形された壁厚補正プレートとを有するカバーキャップの図である。
【図６】図４のヒンジアームの斜視図である。
【図７】図５の組立構造の斜視図である。
【図８】図５の組立構造をヒンジアームに配置した図４および５に対応する図である。
【図９】図８のアセンブリの斜視図である。
【図１０】家具本体の側壁にねじ込まれた状態のヒンジアームの斜視図である。
【図１１】側壁のヒンジアームの固定領域の水平断面図である。
【図１２】図１１の矢印ＸＩＩの方向の図である。
【図１３】たとえば図５ではまだ見られる壁厚補正プレートを除去した後の予め設置されたカバーキャップを有するヒンジアームの図８に対応する図である。
【図１４】図１３のアセンブリの斜視図である。
【図１５】図１３および１４のヒンジアームの固定領域における図１１に対応する断面図である。
【図１６】図１５の矢印ＸＶＩの方向の図である。
【図１７】図１３から１６の側壁に固定されるヒンジアームの図１０に対応する斜視図である。
【図１８】壁厚補正プレートが成形されているカバーキャップの別の実施例の斜視図である。
【発明を実施するための形態】
【００１６】
図１から３では、家具全体が符号１で示されており、全体を符号３で示されるビルトイン冷蔵庫がその家具本体２に設置されている。  
このビルトイン冷蔵庫３には、それ自体公知の方法でドア４が備えられており、これは通路側にヒンジ５を介して固定される。
【００１７】
図３に明確に示されるように、各ヒンジ５はヒンジアーム６を備えており、これはそれ自体公知の方法で冷蔵庫３の本体に固定的に接続している（詳細には不図示）。  
このヒンジアーム６は、図４および６に明確に示されるように、たとえば貫通孔８を有するねじ式フランジ７を有する。  
これらの貫通孔８を通って締め付けねじ９が案内されて、家具本体２の側壁２ａ内へねじ込まれることが可能であり、その際締め付けねじ９は、ねじ式フランジ７に差し込み可能であるプラスチック製のカバーキャップ１０に予め設置されている。  
予め設置されているという用語は、ここでは締め付けねじ９がカバーキャップ１０の対応する貫通領域内に留まるように挿入されていることを意味する。  
たとえば、締め付けねじ９は、摩擦係合的に貫通領域内に保持されることが可能である。  
締め付けねじ９の軸方向の間隔は、予め製造されている貫通領域により、ねじ式フランジ７の２つの貫通孔８の軸方向の間隔に正確に適合されている。
【００１８】
カバーキャップ１０自体は、たとえばねじ式フランジに単純に差し込むことによってあらかじめ設置されることが可能である。  
ここでは、先行技術から公知の留めラグ、アンダカットまたはその他の差し込み接続が可能である。
【００１９】
たとえば図５に非常に明確に示されるように、壁厚補正プレート１１がフィルムヒンジ１２を介してプラスチック製のカバーキャップ１０に一体的に接続される。
【００２０】
上述の構成部品は全体で固定アセンブリを形成し、これによりビルトイン冷蔵庫３が家具本体２の側壁２ａに固定可能である。  
ビルトイン冷蔵庫３を家具１の本体２に挿入した後、設置者は、締め付けねじ９が予め設置されているカバーキャップ１０をねじ式フランジ７に差し込み、締め付けねじ９をねじ式フランジ７の貫通孔８を通して家具本体２の側壁２ａにねじ込むことが可能である。
【００２１】
上述の壁厚補正プレート１１はたとえば側壁の厚さが、家具構造において通常使用される側壁より薄い場合に必要とされる。  
一般に、家具構造では１９ｍｍの壁厚が用いられる。  
しかし、多くの製造者はコストおよび重量の理由から、大幅に薄い壁厚を使うようにもなっている。  
このような場合、ヒンジアーム６の寸法は通常の１９ｍｍの壁厚に適合されているため、壁厚補正プレート１１が必要になる。
【００２２】
壁厚補正プレート１１は、この場合、フィルムヒンジ１２の周りでねじ式フランジ７上へ、またはその後方へ折り重ねられることが可能であるため、ねじ式フランジ７と家具本体２の側壁２ａとの間にある。  
壁厚補正プレート１１には、ねじ式フランジ７の対応する孔１４内に挟まれることが可能であるキャッチピン１３が設けられていることが望ましい。
【００２３】
上述の理由から、５ｍｍ以下の壁厚補正プレート１１が望ましい。壁厚補正プレート１１はしかし必要に応じて５ｍｍより厚くてもよい。
【００２４】
締め付けねじ９は、皿頭９ａを有するねじである。  
この皿頭９ａは、カバーキャップ１０を通って直接貫通孔８の周縁部まで押され、その一方で、たとえば図１１または１５に示されるように、締め付けねじ９の貫通領域を変形させる。
【００２５】
したがって、接続の耐荷重性に関してカバーキャップ１０の機械的耐荷重性は重要ではない。
【００２６】
図４−１２に示され、設置された状態ではねじ式フランジ７と側壁２ａとの間に挿入されている壁厚補正プレート１１が不要である場合、これはフィルムヒンジ１２に沿ってカバーキャップ１０から簡単に切り取って廃棄することが可能である。  
この形での使用については図１３−１７に示されている。
【００２７】
したがって、ビルトイン冷蔵庫３が側壁２ａに指定の方法で家具本体２の内部に固定される場合に、このために設置者が実施すべき作業および工程はわずかなものとなる。  
締め付けねじ９が予め設けられているカバーキャップ１０は、ねじ式フランジ７に差し込まれ、締め付けねじ９は側壁２ａ内にねじ込まれ、その際場合によっては先に壁厚補正プレート１１が、フィルムヒンジ１２を中心に折り重ねられることによりねじ式フランジ７と側壁２ａとの間の領域内に移動される。
【００２８】
これにより、従来の構造よりも設置がかなり単純化および短縮される。
【００２９】
上述の実施例以外にも、第１壁厚補正プレート１１にフィルムヒンジを介してさらに別の壁厚補正プレート１１を成形することも考えられ、その場合には両壁厚補正プレートはたとえば１．５ｍｍの厚さを有する。  
カバーキャップ１０から離れて配置される壁厚補正プレート１１は、両方の壁厚補正プレート１１の厚さが必要とされる場合において、カバーキャップ１０に接続する壁厚補正プレート１１の前側に予め折り重ねられてそこに係止され、続いてこのようにして二重にされた壁厚補正プレート１１はキャッチピン１３を介してねじ式フランジ７の孔１４内に留められることが可能である。
【００３０】
さらに別の実施形態が図１８に示されており、ここでは３つの壁厚補正プレート１１がカバーキャップ１０に射出成形されている。  
この３つの壁厚補正プレート１１は、ほぼあらゆる用途のために多様な寸法を得ることを可能にするため、同じまたは異なる厚さを有することが可能である。
【００３１】
さらに、上述の実施例以外にも、ビルトイン冷蔵庫がこのような固定アセンブリによって家具本体の上部または底部の壁部に固定可能であるようにねじ式フランジ７がヒンジアーム６に成形されていることも考えられる。  
ビルトイン冷蔵庫には、上または下へ開く蓋が設けられることも可能であるが、その際は固定アセンブリの設置位置は図示される位置とは異なる。  
したがって、本発明の範囲においては、「側壁」という用語は、上壁部または底壁部も含むものと理解される。
【符号の説明】
【００３２】
１  家具
２  家具本体
２ａ  側壁
３  ビルトイン冷蔵庫
４  ドア
５  ヒンジ
６  ヒンジアーム
７  ねじ式フランジ
８  貫通孔
９  締め付けねじ
９ａ  皿頭
１０  カバーキャップ
１１  壁厚補正プレート
１２  フィルムヒンジ
１３  キャッチピン
１４  孔
【図１】
2014511990.tif 000003
【図２】
2014511990.tif 000004
【図３】
2014511990.tif 000005
【図４】
2014511990.tif 000006
【図５】
2014511990.tif 000007
【図６】
2014511990.tif 000008
【図７】
2014511990.tif 000009
【図８】
2014511990.tif 000010
【図９】
2014511990.tif 000011
【図１０】
2014511990.tif 000012
【図１１】
2014511990.tif 000013
【図１２】
2014511990.tif 000014
【図１３】
2014511990.tif 000015
【図１４】
2014511990.tif 000016
【図１５】
2014511990.tif 000017
【図１６】
2014511990.tif 000018
【図１７】
2014511990.tif 000019
【図１８】
2014511990.tif 000020
【国際調査報告】
2014511990.tif 000021
2014511990.tif 000022
2014511990.tif 000023
2014511990.tif 000024